(57)【要約】【課題】シンプルな構成によりネジ部から緩みにくくなるような締結器具およびこのような締結器具を備えた締結構造を提供する。【解決手段】第１の方向に巻く雄ネジ部分１４ａが外周面に形成されたネジ部１４に取り付けられる締結器具であって、ナット部２２と、ナット部２２から突出し、第１の方向とは逆方向の第２の方向に巻く雄ネジ部分２４ａが外周面に形成された突起部２４とを有しており、ネジ部１４の雄ネジ部分１４ａが螺合する雌ネジ部分２６ａが内周面に形成されたネジ穴２６が設けられている第１ナット２０と、第１ナット２０の突起部２４の雄ネジ部分２４ａが螺合する雌ネジ部分３２ａが内周面に形成された第１ネジ穴３２、および第１ネジ穴３２に連通し、ネジ部１４の雄ネジ部分１４ａが螺合する雌ネジ部分３４ａが内周面に形成された第２ネジ穴３４が内部に形成されている第２ナット３０とを備えている。【選択図】図１
2020109314.tif 000002
【特許請求の範囲】
【請求項１】
第１の方向に巻く雄ネジ部分が外周面に形成されたネジ部に取り付けられる締結器具であって、
ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている第１ナットと、
前記第１ナットの前記突起部の前記雄ネジ部分が螺合する雌ネジ部分が内周面に形成された第１ネジ穴、および前記第１ネジ穴に連通し、前記ネジ部の前記雄ネジ部分が螺合する雌ネジ部分が内周面に形成された第２ネジ穴が内部に形成されている第２ナットと、
を備えた、締結器具。
【請求項２】
前記第１ナットが前記ネジ部に取り付けられたときに、前記ネジ部の前記雄ネジ部分のネジ山が前記第１ナットの前記雌ネジ部分の谷部分の箇所からわずかに離れて当該雌ネジ部分の凹部における前記ネジ山の周囲にスペースが形成されることにより、前記ネジ部の前記雄ネジ部分に対して前記第１ナットの前記雌ネジ部分は前記ネジ部の長手方向に所定の範囲内でスライド可能な構成となっている、請求項１記載の締結器具。
【請求項３】
前記ネジ部の前記雄ネジ部分のネジ山が前記第１ナットの前記雌ネジ部分に接触していないときは、前記ネジ部に対して前記第１ナットが回転し、
前記第２ナットに対して前記第１ナットが回転させられることにより前記ネジ部の前記雄ネジ部分に対して前記第１ナットの前記雌ネジ部分が前記ネジ部の長手方向にスライドし、前記ネジ部の前記雄ネジ部分のネジ山が前記第１ナットの前記雌ネジ部分に接触したときは前記ネジ部に対して前記第１ナットが回転しなくなる、請求項２記載の締結器具。
【請求項４】
前記第２ナットが前記ネジ部に取り付けられたときに、前記ネジ部の前記雄ネジ部分のネジ山が前記第２ナットの前記雌ネジ部分の谷部分の箇所からわずかに離れて当該雌ネジ部分の凹部における前記ネジ山の周囲にスペースが形成されることにより、前記ネジ部の前記雄ネジ部分に対して前記第２ナットの前記雌ネジ部分は前記ネジ部の長手方向に所定の範囲内でスライド可能な構成となっている、請求項２または３記載の締結器具。
【請求項５】
前記第２ナットにおいて前記第１ネジ穴の直径は前記第２ネジ穴の直径よりも大きい、請求項１乃至４のいずれか一項に記載の締結器具。
【請求項６】
前記第１ナットの前記ネジ穴の内周面に形成されている雌ネジ部分および前記第２ナットの前記第２ネジ穴の内周面に形成されている雌ネジ部分は、それぞれ、前記ネジ部における左ネジの前記雄ネジ部分が螺合するものであり、
前記第１ナットの前記突起部の外周面には右ネジの雄ネジ部分が形成されている、請求項１乃至５のいずれか一項に記載の締結器具。
【請求項７】
前記第１ナットの前記ネジ穴の内周面に形成されている雌ネジ部分および前記第２ナットの前記第２ネジ穴の内周面に形成されている雌ネジ部分は、それぞれ、前記ネジ部における右ネジの前記雄ネジ部分が螺合するものであり、
前記第１ナットの前記突起部の外周面には左ネジの雄ネジ部分が形成されている、請求項１乃至５のいずれか一項に記載の締結器具。
【請求項８】
第１の方向に巻く雄ネジ部分が外周面に形成されたネジ部と、
前記ネジ部に取り付けられる締結器具と、
を備えた締結構造であって、
前記締結器具は、
ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている第１ナットと、
前記第１ナットの前記突起部の前記雄ネジ部分が螺合する雌ネジ部分が内周面に形成された第１ネジ穴、および前記第１ネジ穴に連通し、前記ネジ部の前記雄ネジ部分が螺合する雌ネジ部分が内周面に形成された第２ネジ穴が内部に形成されている第２ナットと、
を有している、締結構造。
【発明の詳細な説明】
【技術分野】
【０００１】
本発明は、第１の方向に巻く雄ネジ部分が外周面に形成されたネジ部に取り付けられる締結器具、およびこのような締結器具を備えた締結構造に関する。
【背景技術】
【０００２】
従来から、例えばある部材に別の部材を取り付ける際に、ボルトおよびナットを用いる方法が知られている。このようなボルトおよびナットを用いた締結構造としては、例えば特許文献１等に開示されるものがある。特許文献１に開示される締結構造では、締結状態では緩まず、メンテナンス時においては簡単に緩めることができて、ボルトやナットの再利用が可能となる。
【先行技術文献】
【特許文献】
【０００３】
【特許文献１】特開２０１８−１３８８１４号公報
【発明の概要】
【発明が解決しようとする課題】
【０００４】
従来では、ボルトにナットが締結された状態でナットが緩みにくくするには複雑な構造とする必要があり、コストが大きくなったり締結を行う作業に手間がかかったりするという問題があった。
【０００５】
本発明は、上記の点を考慮してなされたものであり、シンプルな構成によりネジ部から緩みにくくなるような締結器具およびこのような締結器具を備えた締結構造を提供することを目的とする。
【課題を解決するための手段】
【０００６】
本発明の締結器具は、第１の方向に巻く雄ネジ部分が外周面に形成されたネジ部に取り付けられる締結器具であって、ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている第１ナットと、前記第１ナットの前記突起部の前記雄ネジ部分が螺合する雌ネジ部分が内周面に形成された第１ネジ穴、および前記第１ネジ穴に連通し、前記ネジ部の前記雄ネジ部分が螺合する雌ネジ部分が内周面に形成された第２ネジ穴が内部に形成されている第２ナットと、を備えている。
【０００７】
このような締結器具によれば、第１ナットおよび第２ナットの組合せ体をネジ部に取り付ける際の回転方向と、第２ナットに対して第１ナットを取り付ける際の回転方向とが逆向きとなるため、シンプルな構成によりネジ部から緩みにくくなるようにすることができる。
【０００８】
本発明の締結器具においては、前記第１ナットが前記ネジ部に取り付けられたときに、前記ネジ部の前記雄ネジ部分のネジ山が前記第１ナットの前記雌ネジ部分の谷部分の箇所からわずかに離れて当該雌ネジ部分の凹部における前記ネジ山の周囲にスペースが形成されることにより、前記ネジ部の前記雄ネジ部分に対して前記第１ナットの前記雌ネジ部分は前記ネジ部の長手方向に所定の範囲内でスライド可能な構成となっていてもよい。
【０００９】
また、前記ネジ部の前記雄ネジ部分のネジ山が前記第１ナットの前記雌ネジ部分に接触していないときは、前記ネジ部に対して前記第１ナットが回転し、前記第２ナットに対して前記第１ナットが回転させられることにより前記ネジ部の前記雄ネジ部分に対して前記第１ナットの前記雌ネジ部分が前記ネジ部の長手方向にスライドし、前記ネジ部の前記雄ネジ部分のネジ山が前記第１ナットの前記雌ネジ部分に接触したときは前記ネジ部に対して前記第１ナットが回転しなくなっていてもよい。
【００１０】
また、前記第２ナットが前記ネジ部に取り付けられたときに、前記ネジ部の前記雄ネジ部分のネジ山が前記第２ナットの前記雌ネジ部分の谷部分の箇所からわずかに離れて当該雌ネジ部分の凹部における前記ネジ山の周囲にスペースが形成されることにより、前記ネジ部の前記雄ネジ部分に対して前記第２ナットの前記雌ネジ部分は前記ネジ部の長手方向に所定の範囲内でスライド可能な構成となっていてもよい。
【００１１】
本発明の締結器具においては、前記第２ナットにおいて前記第１ネジ穴の直径は前記第２ネジ穴の直径よりも大きくてもよい。
【００１２】
また、前記第１ナットの前記ネジ穴の内周面に形成されている雌ネジ部分および前記第２ナットの前記第２ネジ穴の内周面に形成されている雌ネジ部分は、それぞれ、前記ネジ部における左ネジの前記雄ネジ部分が螺合するものであり、前記第１ナットの前記突起部の外周面には右ネジの雄ネジ部分が形成されていてもよい。
【００１３】
あるいは、前記第１ナットの前記ネジ穴の内周面に形成されている雌ネジ部分および前記第２ナットの前記第２ネジ穴の内周面に形成されている雌ネジ部分は、それぞれ、前記ネジ部における右ネジの前記雄ネジ部分が螺合するものであり、前記第１ナットの前記突起部の外周面には左ネジの雄ネジ部分が形成されていてもよい。
【００１４】
本発明の締結構造は、第１の方向に巻く雄ネジ部分が外周面に形成されたネジ部と、前記ネジ部に取り付けられる締結器具と、を備えた締結構造であって、前記締結器具は、ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている第１ナットと、前記第１ナットの前記突起部の前記雄ネジ部分が螺合する雌ネジ部分が内周面に形成された第１ネジ穴、および前記第１ネジ穴に連通し、前記ネジ部の前記雄ネジ部分が螺合する雌ネジ部分が内周面に形成された第２ネジ穴が内部に形成されている第２ナットと、を有している。
【００１５】
このような締結構造によれば、締結器具における第１ナットおよび第２ナットの組合せ体をネジ部に取り付ける際の回転方向と、締結器具において第２ナットに対して第１ナットを取り付ける際の回転方向とが逆向きとなるため、シンプルな構成によりネジ部から締結器具が緩みにくくなるようにすることができる。
【発明の効果】
【００１６】
本発明の締結器具および締結構造によれば、シンプルな構成によりネジ部から締結器具が緩みにくくなるようにすることができる。
【図面の簡単な説明】
【００１７】
【図１】本発明の実施の形態による締結器具の構成を示す側面図である。
【図２】図１に示す締結器具が取り付けられるボルトの構成を示す側面図である。
【図３】図１に示す締結器具における第１ナットの構成を示す斜視図である。
【図４】図３に示す第１ナットの側断面図である。
【図５】図１に示す締結器具における第２ナットの構成を示す斜視図である。
【図６】図５に示す第２ナットの側断面図である。
【図７】図３に示す第１ナットや図５に示す第２ナットが図２に示すボルトに取り付けられたときの雌ネジ部分と雄ネジ部分との位置関係を示す図である。
【図８】図３に示す第１ナットおよび図５に示す第２ナットの組合せ体が図２に示すボルトに取り付けられた後、第１ナットが第２ナットから緩められたときの雌ネジ部分と雄ネジ部分との位置関係を示す図である。
【図９】図３に示す第１ナットおよび図５に示す第２ナットの組合せ体が図２に示すボルトに取り付けられた後、第１ナットが第２ナットに更に締め付けられたときの雌ネジ部分と雄ネジ部分との位置関係を示す図である。
【図１０】本発明の実施の形態による締結器具の構成の他の例を示す側面図である。
【発明を実施するための形態】
【００１８】
以下、図面を参照して本発明の実施の形態について説明する。図１乃至図１０は、本実施の形態に係る締結器具である。本実施の形態に係る締結器具は、例えば第１の部材１００に第２の部材１０２を固定するためにボルト１０のネジ部１４に取り付けられるものである。このような締結器具の構成の詳細について以下に説明する。
【００１９】
図１に示すように、本実施の形態に係る締結器具は、第１ナット２０と、第２ナット３０とを備えており、第１ナット２０および第２ナット３０が組み合わせられた後にこれらの組合せ体がボルト１０に取り付けられるようになっている。このような締結器具の各構成要素の詳細について以下に説明する。なお、図２に示すように、本実施の形態に係る締結器具が取り付けられるボルト１０は、ヘッド部１２および棒状のネジ部１４を備えている。また、ネジ部１４の外周面には左ネジの雄ネジ部分１４ａが形成されている。
【００２０】
図３および図４に示すように、第１ナット２０は、六角ナットからなるナット部２２と、ナット部２２の底面から下方に突出した突起部２４とを有している。また、これらのナット部２２および突起部２４には、断面が略円形であるネジ穴２６がナット部２２および突起部２４を貫通するよう形成されており、このネジ穴２６の内周面には、ボルト１０のネジ部１４における左ネジの雄ネジ部分１４ａに対応する雌ネジ部分２６ａが形成されている。そして、第１ナット２０におけるネジ穴２６の内周面に形成される雌ネジ部分２６ａに、ボルト１０のネジ部１４の雄ネジ部分１４ａが螺合されることにより、ボルト１０のネジ部１４に第１ナット２０が取り付けられるようになっている。より詳細には、ボルト１０のネジ部１４に対して、第１ナット２０を図３における左回り（反時計回りの方向）に回転させながらネジ穴２６の雌ネジ部分２６ａにネジ部１４の雄ネジ部分１４ａが嵌まり込むようにする。また、突起部２４は略円柱形状となっており、この突起部２４の外周面には右ネジの雄ネジ部分２４ａが形成されている。
【００２１】
また、本実施の形態では、第１ナット２０におけるネジ穴２６の内周面に形成される雌ネジ部分２６ａは、第１ナット２０がネジ部１４に取り付けられたときにネジ部１４の雄ネジ部分１４ａに対してネジ部１４の長手方向に所定の範囲内でスライド可能な構成となっている。具体的には、図７に示すように、第１ナット２０がネジ部１４に取り付けられたときに、ネジ部１４の雄ネジ部分１４ａのネジ山１５は第１ナット２０の雌ネジ部分２６ａの凹部に嵌まり込むようになるが、このときに雌ネジ部分２６ａの凹部におけるネジ山１５の周囲にはスペースが形成される。より詳細には、雄ネジ部分１４ａのネジ山１５は雌ネジ部分２６ａの谷部分の箇所からわずかに離れるようになる。このため、図７において雌ネジ部分２６ａの凹部内で雄ネジ部分１４ａのネジ山１５をネジ部１４の長手方向（すなわち、図７における左右方向）にスライドさせることができるようになる。このことにより、第１ナット２０がネジ部１４に取り付けられた場合でも、この第１ナット２０の雌ネジ部分２６ａを、ネジ部１４の雄ネジ部分１４ａに対してネジ部１４の長手方向に所定の範囲内（具体的には、図８に示すようなネジ山１５の一方の傾斜面が雌ネジ部分２６ａに接触する位置と、図８に示すようなネジ山１５の他方の傾斜面が雌ネジ部分２６ａに接触する位置との間）でスライドさせることができるようになる。
【００２２】
図５に示すように、第２ナット３０は例えば六角ナットから構成されており、この第２ナット３０の内部には、断面がそれぞれ略円形である第１ネジ穴３２および第２ネジ穴３４が形成されている。ここで、第１ネジ穴３２および第２ネジ穴３４は互いに連通しており、これらの第１ネジ穴３２および第２ネジ穴３４を組み合わせた穴は第２ナット３０を貫通するようになっている。第２ナット３０における第１ネジ穴３２に面する内周面には、第１ナット２０の突起部２４の雄ネジ部分２４ａに対応する雌ネジ部分３２ａが形成されている。そして、第２ナット３０の第１ネジ穴３２の雌ネジ部分３２ａに第１ナット２０の突起部２４の雄ネジ部分２４ａが螺合されることにより、第２ナット３０の第１ネジ穴３２に第１ナット２０の突起部２４が取り付けられるようになっている。より詳細には、第２ナット３０の第１ネジ穴３２に対して、第１ナット２０を図３における右回り（時計回りの方向）に回転させながらこの第１ナット２０の突起部２４を挿入することにより、第１ナット２０の突起部２４が第２ナット３０の第１ネジ穴３２に嵌まり込むようになる。
【００２３】
また、第２ナット３０における第１ネジ穴３２の下方には、この第１ネジ穴３２の直径よりも小さな直径の円形の断面の第２ネジ穴３４が形成されている。第２ナット３０における第２ネジ穴３４に面する内周面には、ボルト１０のネジ部１４の雄ネジ部分１４ａに対応する雌ネジ部分３４ａが形成されている。ここで、第２ナット３０の雌ネジ部分３４ａは、第１ナット２０の雌ネジ部分２６ａと略同一の構成となっている。そして、第２ナット３０の第２ネジ穴３４の雌ネジ部分３４ａにボルト１０のネジ部１４の雄ネジ部分１４ａが螺合されることにより、第２ナット３０の第１ネジ穴３２にボルト１０のネジ部１４が取り付けられるようになっている。より詳細には、ボルト１０のネジ部１４に対して、第２ナット３０を図５における左回り（反時計回りの方向）に回転させながら第２ネジ穴３４の雌ネジ部分３４ａにネジ部１４の雄ネジ部分１４ａが嵌まり込むようにする。
【００２４】
また、本実施の形態では、第２ナット３０における第２ネジ穴３４の内周面に形成される雌ネジ部分３４ａは、第２ナット３０がネジ部１４に取り付けられたときにネジ部１４の雄ネジ部分１４ａに対してネジ部１４の長手方向に所定の範囲内でスライド可能な構成となっている。具体的には、図７に示すように、第２ナット３０がネジ部１４に取り付けられたときに、ネジ部１４の雄ネジ部分１４ａのネジ山１５は第２ナット３０の雌ネジ部分３４ａの凹部に嵌まり込むようになるが、このときに雌ネジ部分３４ａの凹部におけるネジ山１５の周囲にはスペースが形成される。より詳細には、雄ネジ部分１４ａのネジ山１５は雌ネジ部分３４ａの谷部分の箇所からわずかに離れるようになる。このため、図７において雌ネジ部分３４ａの凹部内で雄ネジ部分１４ａのネジ山１５をネジ部１４の長手方向（すなわち、図７における左右方向）にスライドさせることができるようになる。このことにより、第２ナット３０がネジ部１４に取り付けられた場合でも、この第２ナット３０の雌ネジ部分３４ａを、ネジ部１４の雄ネジ部分１４ａに対してネジ部１４の長手方向に所定の範囲内でスライドさせることができるようになる。
【００２５】
また、本実施の形態では、第１ナット２０および第２ナット３０からなる締結器具と、ボルト１０のネジ部１４とを組み合わせることにより、第１の部材１００を第２の部材１０２に固定するための締結構造が構成されている。
【００２６】
次に、本実施の形態の締結器具を用いて第１の部材１００に第２の部材１０２を固定するときの動作について以下に説明する。
【００２７】
最初に、ボルト１０のネジ部１４を、第１の部材１００に形成されている貫通穴１００ａおよび第２の部材１０２に形成されている貫通穴１０２ａに通すことにより、ボルト１０のネジ部１４が第２の部材１０２から突出するようにする。次に、第１ナット２０を第２ナット３０に取り付ける。具体的には、第２ナット３０の第１ネジ穴３２に対して、第１ナット２０を図３における右回り（時計回りの方向）に回転させながらこの第１ナット２０の突起部２４を挿入することにより、第１ナット２０の突起部２４が第２ナット３０の第１ネジ穴３２に嵌まり込む。このことにより、第１ナット２０が第２ナット３０に取り付けられる。なお、この際に、第１ナット２０のナット部２２が第２ナット３０の上面から十分に離間するようにする。
【００２８】
その後、第１ナット２０および第２ナット３０の組合せ体をボルト１０のネジ部１４に取り付ける。具体的には、ボルト１０のネジ部１４に対して、第１ナット２０および第２ナット３０の組合せ体を図３や図５における左回り（反時計回りの方向）に回転させながら、第１ナット２０のネジ穴２６の雌ネジ部分２６ａおよび第２ナット３０の第２ネジ穴３４の雌ネジ部分３４ａにネジ部１４の雄ネジ部分１４ａがそれぞれ嵌まり込むようにする。なお、この際に、図７に示すように、ネジ部１４の雄ネジ部分１４ａにおけるネジ山１５が、第１ナット２０の雌ネジ部分２６ａの凹部の中央および第２ナット３０の雌ネジ部分３４ａの凹部の中央にそれぞれ位置するようにする。なお、ネジ部１４の雄ネジ部分１４ａにおけるネジ山１５が、第１ナット２０の雌ネジ部分２６ａの凹部の中央および第２ナット３０の雌ネジ部分３４ａの凹部の中央にそれぞれ位置しない場合には、第１ナット２０および第２ナット３０の組合せ体をボルト１０のネジ部１４にうまく螺合させることはできないようになっている。このため、第１ナット２０の雌ネジ部分２６ａの凹部の中央および第２ナット３０の雌ネジ部分３４ａの凹部の中央の両方に、ネジ部１４の雄ネジ部分１４ａにおけるネジ山１５が位置しない場合には、第２ナット３０に対して第１ナット２０を回転させることにより、第２ナット３０に対する第１ナット２０の位置を変える。このようにして、図１に示すように第２ナット３０の底面が第２の部材１０２の表面に接触するまで、第１ナット２０および第２ナット３０の組合せ体をボルト１０のネジ部１４に嵌め込む。
【００２９】
その後、第２ナット３０に対して第１ナット２０を回転させることにより、第２ナット３０に対して第１ナット２０を緩めるか更に締め付けるようにする。第２ナット３０に対して第１ナット２０を図３における左回り（反時計回りの方向）に回転させることにより、第２ナット３０に対して第１ナット２０を緩めた場合には、ネジ部１４の雄ネジ部分１４ａに対して第１ナット２０の雌ネジ部分２６ａがネジ部１４の長手方向に沿ってスライドすることにより、図８に示すように第１ナット２０の雌ネジ部分２６ａがネジ部１４の雄ネジ部分１４ａにおけるネジ山１５に接触するようになる。第１ナット２０の雌ネジ部分２６ａがネジ部１４の雄ネジ部分１４ａにおけるネジ山１５に接触すると、第２ナット３０に対して第１ナット２０をこれ以上緩めることができなくなる。一方、第２ナット３０に対して第１ナット２０を図３における右回り（時計回りの方向）に回転させることにより、第２ナット３０に対して第１ナット２０を更に締め付けた場合には、ネジ部１４の雄ネジ部分１４ａに対して第１ナット２０の雌ネジ部分２６ａがネジ部１４の長手方向に沿ってスライドすることにより、図９に示すように第１ナット２０の雌ネジ部分２６ａがネジ部１４の雄ネジ部分１４ａにおけるネジ山１５に接触するようになる。第１ナット２０の雌ネジ部分２６ａがネジ部１４の雄ネジ部分１４ａにおけるネジ山１５に接触すると、第２ナット３０に対して第１ナット２０をこれ以上締め付けることができなくなる。このようにして、第１ナット２０および第２ナット３０の組合せ体がネジ部１４に取り付けられるとともに第１ナット２０が第２ナット３０から緩められるまたは更に締め付けられることにより、第１の部材１００に第２の部材１０２が固定されるようになる。
【００３０】
このような締結器具では、第１ナット２０および第２ナット３０の組合せ体をボルト１０のネジ部１４に取り付ける際の回転方向（すなわち、左回り）と、第２ナット３０に対して第１ナット２０を取り付ける際の回転方向（すなわち、右回り）とが逆向きとなっているため、第１ナット２０や第２ナット３０がボルト１０から緩みにくくなるという作用効果が得られる。より詳細には、第１ナット２０の雌ネジ部分２６ａがネジ部１４の雄ネジ部分１４ａに対して図８や図９に示すような位置関係となっている場合には、すなわちネジ部１４の雄ネジ部分１４ａにおけるネジ山１５が雌ネジ部分２６ａに接触している場合には、ネジ部１４に対して第１ナット２０を回転させることができなくなる。このため、ネジ部１４に対して第１ナット２０の位置が固定され、この第１ナット２０をネジ部１４から緩めることができなくなる。言い換えると、第１ナット２０がネジ部１４から緩められるのは、図７に示すようにネジ部１４の雄ネジ部分１４ａにおけるネジ山１５が雌ネジ部分２６ａの凹部の中央に位置している場合のみであるが、このようなネジ山１５の位置とするためには第２ナット３０に対して第１ナット２０を回転させることにより第１ナット２０と第２ナット３０との位置関係を人が調整して所定の位置関係としなければならない。
【００３１】
ここで、ナットがボルトから緩む要因としては、第１の部材１００や第２の部材１０２等に衝撃が与えられたり、ナットやボルト自体に衝撃が与えられたりすることにより、ナットに対してボルトに締め付けられる方向と逆方向の力がかかることにより、ナットがボルトから緩んでしまうことが考えられる。これに対し、本実施の形態では、第２ナット３０がボルト１０から緩んでしまいこの第２ナット３０が第２の部材１０２から離間しようとしても、第１ナット２０がボルト１０のネジ部１４に固定されているため、ボルト１０のネジ部１４に対して第２ナット３０を図１に示す状態から右回り（図１を上方から見て時計回りの方向）に回転させることができない。
【００３２】
このように、本実施の形態では、ネジ部１４の長手方向においてネジ部１４の雄ネジ部分１４ａに対して第１ナット２０の雌ネジ部分２６ａが所定の範囲内の箇所に位置しているときは、ネジ部１４に対して第１ナット２０が回転するが、第２ナット３０に対して第１ナット２０が回転させられることによりネジ部１４の雄ネジ部分１４ａに対して第１ナット２０の雌ネジ部分２６ａが所定の範囲内の箇所からネジ部１４の長手方向にスライドしたときは、ネジ部１４に対して第１ナット２０が回転しなくなる。このため、第１ナット２０がボルト１０のネジ部１４に固定されるようになり、よって第１ナット２０や第２ナット３０がネジ部１４から緩んでしまうことを防止することができるようになる。
【００３３】
なお、本実施の形態の締結器具は、上記の構成に限定されることはない。本実施の形態の締結器具の他の例として、ボルト１０のネジ部１４の外周面に、左ネジではなく右ネジの雄ネジ部分１４ａが形成されており、第１ナット２０のナット部２２および突起部２４に形成されるネジ穴２６の内周面に、右ネジの雄ネジ部分１４ａが螺合する雌ネジ部分２６ａが形成されていてもよい。この場合には、突起部２４の外周面には、右ネジではなく左ネジの雄ネジ部分２４ａが形成され、第２ナット３０における第１ネジ穴３２に面する内周面には、左ネジの雄ネジ部分２４ａが螺合する雌ネジ部分３２ａが形成される。また、第２ナット３０における第２ネジ穴３４に面する内周面には、右ネジの雄ネジ部分１４ａが螺合する雌ネジ部分２６ａが形成される。このような締結器具でも、第１ナット２０および第２ナット３０の組合せ体をボルト１０のネジ部１４に取り付ける際の回転方向（すなわち、右回り）と、第２ナット３０に対して第１ナット２０を取り付ける際の回転方向（すなわち、左回り）とが逆向きとなっているため、第１ナット２０や第２ナット３０がボルト１０から緩みにくくすることができる。
【００３４】
また、本実施の形態では、上述したように、第１ナット２０および第２ナット３０からなる締結器具と、ネジ部１４とを組み合わせることにより、第１の部材１００を第２の部材１０２に固定するための締結構造が構成されている。このような締結構造でも、第１ナット２０や第２ナット３０がボルト１０から緩みにくくすることができる。
【００３５】
また、上記の説明では、第２ナット３０の雌ネジ部分３４ａは、第１ナット２０の雌ネジ部分２６ａと略同一の構成となっているが、本実施の形態はこのような態様に限定されることはない。本実施の形態の締結器具の他の例として、第１ナット２０の雌ネジ部分２６ａは、第１ナット２０がネジ部１４に取り付けられたときにネジ部１４の雄ネジ部分１４ａに対してネジ部１４の長手方向に所定の範囲内でスライド可能な構成となっているが、第２ナット３０の雌ネジ部分３４ａは、第２ナット３０がネジ部１４に取り付けられたときにネジ部１４の雄ネジ部分１４ａに対してネジ部１４の長手方向にスライドすることができないようになっていてもよい。この場合でも、第１ナット２０および第２ナット３０の組合せ体をネジ部１４に取り付けた後、第２ナット３０に対して第１ナット２０を緩めるか更に締め付けることにより、ネジ部１４に対して第１ナット２０を固定することができるため、第１ナット２０や第２ナット３０がボルト１０から緩みにくくすることができる。
【００３６】
また、図１０に示すように、図１に示す締結器具に対して第１ナット２０および第２ナット３０の組合せ体の上下の向きを逆にした状態でこの組合せ体をボルト１０のネジ部１４に取り付けるようにしてもよい。具体的には、第１ナット２０を第２ナット３０に取り付けた後、第１ナット２０および第２ナット３０の組合せ体をボルト１０のネジ部１４に取り付ける際に、第１ナット２０のナット部２２が第２の部材１０２に接するよう、図１に示す第１ナット２０および第２ナット３０の上下の向きを逆にして第１ナット２０および第２ナット３０の組合せ体をボルト１０のネジ部１４に取り付ける。なお、この場合でも、図７に示すように、ネジ部１４の雄ネジ部分１４ａにおけるネジ山１５が、第１ナット２０の雌ネジ部分２６ａの凹部の中央および第２ナット３０の雌ネジ部分３４ａの凹部の中央にそれぞれ位置するようにする。このようにして、図１０に示すように第１ナット２０のナット部２２が第２の部材１０２の表面に接触するまで、第１ナット２０および第２ナット３０の組合せ体をボルト１０のネジ部１４に嵌め込む。その後、第１ナット２０に対して第２ナット３０を回転させることにより、第１ナット２０に対して第２ナット３０を緩めるか更に締め付けるようにする。このようにして、第１ナット２０に対して第２ナット３０を緩めるか更に締め付けると、ネジ部１４の雄ネジ部分１４ａにおけるネジ山１５が第２ナット３０の雌ネジ部分３４ａに接触するようになる。この場合には、ネジ部１４に対して第２ナット３０を回転させることができなくなる。このため、ネジ部１４に対して第２ナット３０の位置が固定され、この第２ナット３０をネジ部１４から緩めることができなくなる。言い換えると、第２ナット３０がネジ部１４から緩められるのは、図７に示すようにネジ部１４の雄ネジ部分１４ａにおけるネジ山１５が雌ネジ部分３４ａの凹部の中央に位置している場合のみであるが、このようなネジ山１５の位置とするためには第１ナット２０に対して第２ナット３０を回転させることにより第１ナット２０と第２ナット３０との位置関係を人が調整して所定の位置関係としなければならない。このように、図１０に示す締結器具では、第１ナット２０がボルト１０から緩んでしまいこの第１ナット２０が第２の部材１０２から離間しようとしても、第２ナット３０がボルト１０のネジ部１４に固定されているため、ボルト１０のネジ部１４に対して第１ナット２０を図１０に示す状態から右回り（図１０を上方から見て時計回りの方向）に回転させることができない。
【符号の説明】
【００３７】
１０      ボルト
１２      ヘッド部
１４      ネジ部
１４ａ    雄ネジ部分
１５      ネジ山
２０      第１ナット
２２      ナット部
２４      突起部
２４ａ    雄ネジ部分
２６      ネジ穴
２６ａ    雌ネジ部分
３０      第２ナット
３２      第１ネジ穴
３２ａ    雌ネジ部分
３４      第２ネジ穴
３４ａ    雌ネジ部分
１００    第１の部材
１００ａ  貫通穴
１０２    第２の部材
１０２ａ  貫通穴
【図１】
2020109314.tif 000003
【図２】
2020109314.tif 000004
【図３】
2020109314.tif 000005
【図４】
2020109314.tif 000006
【図５】
2020109314.tif 000007
【図６】
2020109314.tif 000008
【図７】
2020109314.tif 000009
【図８】
2020109314.tif 000010
【図９】
2020109314.tif 000011
【図１０】
2020109314.tif 000012